(57)【要約】【課題】遊技領域内の模様を簡単に変更することができて、遊技者の興趣増大に寄与することができると共に、遊技領域内のキズや汚れを簡単に一新して遊技者に新鮮さや清潔感を与えることのできる装飾用積層体、遊技盤ユニット及び遊技機を提供すること。【解決手段】この多層セル１８は、ゲージ２７が配置された遊技盤面６ａ上に貼付されるものであって、各々の表面１９ａに模様が付され、各々の裏面１９ｂが粘着面とされた複数の装飾フィルム１９が積層貼付されて構成され、その複数の装飾フィルム１９にはゲージ２７に対応する位置にゲージ孔１９ｄが形成されている。【選択図】図２
2009082282.tif 000002
【特許請求の範囲】
【請求項１】
盤面に遊技媒体の流下方向を変更するための障害釘が配置され、該遊技媒体の流下による遊技を実現する遊技盤の前記盤面上に貼付されると共に、その遊技領域を装飾するための模様が付された装飾用積層体であって、
各々の表面に模様が付されて装飾面とされると共に、各々の裏面が粘着面とされた複数の装飾薄体が積層貼付されて構成され、
該複数の装飾薄体のうちの少なくとも１枚において前記障害釘に対応する位置に該障害釘を貫通させるための釘用貫通孔が形成されている装飾用積層体。
【請求項２】
前記釘用貫通孔が円形とされ、その孔径が前記障害釘の最大断面径よりも大きくかつ１１ｍｍ以下である請求項１に記載の装飾用積層体。
【請求項３】
前記釘用貫通孔が円形とされ、かつ釘用貫通孔から放射状に少なくとも１本の切れ込みが形成され、
前記釘用貫通孔の半径と該切れ込みの寸法との合計が前記障害釘の最大断面径よりも大きくかつ５．５ｍｍ以下である請求項１に記載の装飾用積層体。
【請求項４】
前記切れ込みが、前記釘用貫通孔から下方に向けて形成されている請求項３に記載の装飾用積層体。
【請求項５】
前記装飾薄体の粘着面に、部分的に非粘着である非粘着部が配置されている請求項１から請求項４のうちいずれか１項に記載の装飾用積層体。
【請求項６】
最表面側の前記装飾薄体の粘着面における粘着力が最小とされ、かつ、最表面側から最裏面側にかけて各装飾薄体の粘着面における粘着力が順次大きくなるように設定されている請求項１から請求項５のうちいずれか１項に記載の装飾用積層体。
【請求項７】
前記障害釘と、
前記演出役物と、
前記遊技盤と、
請求項１から請求項６のうちいずれか１項に記載の装飾用積層体と、を有する遊技盤ユニット。
【請求項８】
請求項７に記載の遊技盤ユニットと、
該遊技盤ユニットを視認可能に保持する枠体と、
該遊技盤に対して一定距離以上離間して配置された前面透明板と、を有する遊技機。
【発明の詳細な説明】
【技術分野】
【０００１】
本発明は、装飾用積層体、遊技盤ユニット及び遊技機に係り、特に遊技盤面上での模様を手軽に変更することのできる装飾用積層体等に関する。
【背景技術】
【０００２】
パチンコ機においては、弾球された球が遊技領域（遊技盤面上又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機において、最近では遊技領域に図柄表示装置が配置されたものがある。図柄表示装置は、その表示画面に表示された図柄等が変動し特定の表示態様となったときに、遊技者に多量の景品球を獲得させるいわゆる「当り」を構成する。遊技機にこの図柄変動装置が配されることにより、遊技盤面の入賞口に球が入賞して所定個数の景品球払出しがされる場合のみならず、図柄変動の結果によっても多量の景品球が払い出されるので、遊技者は図柄の表示の態様に大きく注目することとなる。
【０００４】
このパチンコ機の遊技盤面には、遊技者の興趣を増大させるために、セルと呼ばれる装飾用のフィルムが全体的に貼付されている。このセルの表面には、図柄（キャラクター図柄を含む。）や色彩等を含む模様が付されている。そして、その模様が発揮する美観性やキャラクターによるストーリー性によって遊技者に快適感や興趣を与え、遊技演出に寄与するようになっている。
【０００５】
セル表面の模様は、遊技者にとって目に付きやすく、その興趣に与える影響が大きい。したがって、その模様を斬新なものや奇抜なものにしたり、遊技盤ごとセルを新しいものに交換して目新しい模様にしたりすることにより、遊技者の興味を惹きつける工夫が行われている。また、遊技領域を流下する球によって盤面上のセルが繰り返し擦られ、セル表面にキズや汚れが付いたり、磨耗により模様が一部脱落したりした場合も、遊技盤ごとセルを新しいものに交換することが行われる。
【０００６】
このセルに関する提案として、例えば、フィルムを積層構造として、各フィルムの模様の重畳によりデザイン性を向上させたものがある（例えば、特許文献１を参照。）。このものによれば、一定の厚みを有する和紙等からなる裏面紙を最下層として盤面に接着することにより、裏面紙がその一部を盤面に残しつつ剥離されて、セルを遊技盤から剥がして交換することもできるようになっている。また、図柄表示装置の表示画面部分に保護フィルムを積層貼付し、保護フィルムが汚れるごとに１枚ずつ剥がして表示画面部分をきれいな状態に維持するものも提案されている（例えば、特許文献２を参照。）。
【０００７】
【特許文献１】実開昭５８−２５１８６号公報
【特許文献２】特開２００６−１２２２７２号公報
【発明の開示】
【発明が解決しようとする課題】
【０００８】
遊技盤自体を交換することなく、セルに付された模様がより一層簡単な作業により全く新しいものに変更することができれば、遊技者の興味を強く惹きつけることができて望ましい。同時に、セル表面に付いた傷や汚れも一掃することができれば、遊技者に新鮮さや清潔感を与えることができてなお一層望ましい。
【０００９】
しかしながら、遊技領域にはセルの上から多数の障害釘や各種役物が配置されており、遊技盤面において全体的に貼付されたセルを遊技盤から剥がして交換するためには、わざわざ障害釘や各種役物を遊技盤から外す必要があり、交換作業が煩雑となる。
【００１０】
本発明は上記の事情に鑑みて為されたもので、遊技領域内の模様を簡単に変更することができて、遊技者の興趣増大に寄与することができると共に、遊技領域内のキズや汚れを簡単に一新して遊技者に新鮮さや清潔感を与えることのできる装飾用積層体、遊技盤ユニット及び遊技機を提供することを例示的課題とする。
【課題を解決するための手段】
【００１１】
上記の課題を解決するために、本発明の例示的側面としての装飾用積層体は、盤面に遊技媒体の流下方向を変更するための障害釘が配置され、遊技媒体の流下による遊技を実現する遊技盤の盤面上に貼付されると共に、その遊技領域を装飾するための模様が付された装飾用積層体であって、各々の表面に模様が付されて装飾面とされると共に、各々の裏面が粘着面とされた複数の装飾薄体が積層貼付されて構成され、複数の装飾薄体のうちの少なくとも１枚において障害釘に対応する位置に障害釘を貫通させるための釘用貫通孔が形成されていることを特徴とする。
【００１２】
この装飾用積層体によれば、表面側の装飾薄体を１枚捲るだけでその下層側の模様を新たに露出させることができるので、装飾用積層体を遊技盤面上に貼付した際にその遊技領域における模様を簡単な作業で変更することができる。したがって、遊技盤を交換せずとも模様変更によって遊技者の興趣を増大させることができる上に、その模様変更に必要なコストを低減することができる。しかも、表面側の装飾薄体を捲ることで、キズや汚れのない真新しい模様とすることができる。
【００１３】
装飾薄体には、障害釘に対応する位置に釘用貫通孔が形成されているので、障害釘を遊技領域内に配置する際に、この装飾用積層体が邪魔になることなく配置することができる。また、配置済みの障害釘等をわざわざ遊技盤から外さなくても障害釘等を回避して引っかからないように装飾薄体を捲ることができる。また、装飾薄体に、演出役物に対応する位置に役物用貫通孔を形成すれば、演出役物を遊技領域内に配置する際にもこの装飾用積層体が邪魔になることなく配置することができる。したがって、模様変更に係る作業が簡単となってメンテナンス性を向上させることができ、装飾薄体の捲り作業における作業の手間の削減、作業時間の低減等メンテナンスに必要な作業コストを低減することができる。捲り作業に起因して障害釘や演出役物を損傷したり位置ズレを発生させたりする虞が殆どなく、装飾薄体を損傷する虞も殆どない。
【００１４】
釘用貫通孔や役物用貫通孔は、装飾用積層体を構成するすべての装飾薄体に形成されることが望ましいが、もちろん捲られる装飾薄体のみに形成されていてもよく、遊技盤面に直接貼付される最裏面の装飾薄体にはそれらが形成されていなくてもよい。
【００１５】
ここで、盤面とは遊技盤面をいい、表面とは遊技盤に貼付されたときに遊技者に視認される側の面、すなわち、遊技者に対向する側の面をいい、裏面とは表面の反対側の面をいう。最も表面側を「最上層」、最も裏面側を「最下層」と表現し、「より表面側」、「より裏面側」を、「上層側」、「下層側」と表現することがあるものとする。
【００１６】
なお、遊技領域とは、上記したように遊技盤面上又はその近傍に形成された領域であって、球の流下による遊技や演出を実現するための領域をいう。演出役物とは、遊技領域内に配置されて遊技の演出に寄与する役物であって、例えば入賞役物、入球役物、通過ゲート、図柄表示装置等をいう。
【００１７】
釘用貫通孔が円形とされ、その孔径が障害釘の最大断面径よりも大きくかつ１１ｍｍ以下であってもよい。
【００１８】
障害釘が軸部と頭部とを有してその頭部が軸部よりも大径である場合であっても、釘用貫通孔の孔径がその頭部の径（最大断面径）よりも大きいので、頭部を回避しつつ引っかからないように装飾薄体をスムーズに捲ることができる。なお、例えば障害釘の軸部の径が２ｍｍ、頭部が４．３ｍｍである場合において、釘用貫通孔の孔径は５ｍｍ以上とされる。
【００１９】
一方、釘用貫通孔の孔径が１１ｍｍ以下であるので、遊技媒体がパチンコ球であってその直径が約１１ｍｍである場合において、遊技領域を流下したパチンコ球と釘用貫通孔とが相互に干渉しない。したがって、釘用貫通孔のパチンコ球の流下への影響を考慮する必要がない。
【００２０】
釘用貫通孔が円形とされ、かつ釘用貫通孔から放射状に少なくとも１本の切れ込みが形成され、釘用貫通孔の半径と切れ込みの寸法との合計が障害釘の最大断面径よりも大きくかつ５．５ｍｍ以下であってもよい。
【００２１】
障害釘が軸部と頭部とを有してその頭部が軸部よりも大径である場合であっても、釘用貫通孔の孔半径と切れ込みとの合計がその頭部の径（最大断面径）よりも大きいので、装飾薄体を捲る際にその切れ込み部近傍においてフィルムが弾性変形して、スムーズに頭部を通過させることができる。したがって、頭部を回避しつつ引っかからないように装飾薄体をスムーズに捲ることができる。なお、例えば障害釘の軸部の径が２ｍｍ、頭部が４．３ｍｍである場合において、釘用貫通孔の孔半径と切れ込みの寸法との合計は５ｍｍ以上とされる。
【００２２】
一方、その合計寸法が１１ｍｍ以下であるので、遊技媒体がパチンコ球であってその直径が約１１ｍｍである場合において、遊技領域を流下したパチンコ球と釘用貫通孔及び切れ込みとが相互に干渉しない。したがって、釘用貫通孔や切れ込みのパチンコ球の流下への影響を考慮する必要がない。
【００２３】
切れ込みが、釘用貫通孔から下方に向けて形成されていてもよい。障害釘上方から遊技領域を流下してきた遊技媒体は、障害釘に衝突してその流下方向を変化させるので、障害釘の直下方近傍に至ることは殆どない。したがって、切れ込みを障害釘の直下近傍、すなわち釘用貫通孔から下方に向けた位置に形成すれば、切れ込みの遊技媒体の流下への影響を考慮する必要が殆どない。また、遊技媒体と切れ込みとの干渉によって切れ込み端部から装飾薄体が捲れてしまったり剥がれてしまったりするのを防止することができる。
【００２４】
演出役物が、その役物本体部の周縁に盤面に役物本体部を取り付けるための周縁部を有する場合において、役物用貫通孔が形成された装飾薄体の積層厚さと周縁部の厚さとが略一致していてもよい。
【００２５】
演出役物が、遊技盤面へ取り付けるための周縁部を有する場合、周縁部がその厚さ分遊技盤面から突出して遊技媒体の流下に影響する場合があるが、装飾薄体の積層厚さと周縁部の厚さとが略一致しているので、装飾用積層体の厚さによって相対的に周縁部の突出量が殆どなくなる。したがって、周縁部による遊技媒体の流下への影響を殆どなくすことができる。
【００２６】
装飾薄体の粘着面に、部分的に非粘着である非粘着部が配置されていてもよい。部分的に非粘着とされた非粘着部を起点にして装飾薄体を容易に捲ることができるので、装飾薄体を捲る作業、すなわち遊技領域内の模様を変更する作業をより一層効率的にすることができる。なお、非粘着部は、装飾薄体の周縁近傍の少なくとも一部に配置されることが望ましく、いずれかの角部分近傍であることが捲り作業容易の観点から更に望ましい。
【００２７】
最表面側の装飾薄体の粘着面における粘着力が最小とされ、かつ、最表面側から最裏面側にかけて各装飾薄体の粘着面における粘着力が順次大きくなるように設定されていてもよい。
【００２８】
最表面側における粘着力が最も小さく、最表面側から最裏面側に架けて粘着力が徐々に大きくなるように設定されているので、装飾薄体の捲り作業に際して最表面側（最上層）の装飾薄体の１枚のみを捲る作業がより一層容易となる。したがって、最上層の１枚のみを捲ろうとする際に複数枚の装飾薄体が一気に捲られてしまうことが殆どなく、１枚ずつの捲り作業を確実に行うことができる。
【００２９】
本発明の他の例示的側面としての遊技盤ユニットは、障害釘と、演出役物と、遊技盤と、上記の装飾用積層体とを有することを特徴とする。
【００３０】
この遊技盤ユニットは、上記の装飾用積層体を有しているので、表面側の装飾薄体を１枚捲るだけでその遊技領域に下層側の模様を新たに露出させることができ、１つの遊技盤ユニットにおいて遊技領域における模様を簡単な作業で変更することができる。したがって、模様変更によって遊技者の興趣を増大させることができる上に、その模様変更に必要なコストを低減することができる。しかも、表面側の装飾薄体を捲ることで、キズや汚れのない真新しい模様とすることができるので、遊技者に新鮮さや清潔感を与えることもできる。
【００３１】
装飾薄体には、障害釘に対応する位置や演出役物に対応する位置に各々貫通孔が形成されているので、障害釘や演出役物を遊技領域内に配置する際に、この装飾用積層体が邪魔になることなく配置することができる。また、配置済みの障害釘等をわざわざ遊技盤から外さなくても障害釘等を回避して引っかからないように装飾薄体を捲ることができる。したがって、模様変更に係る作業が簡単となってメンテナンス性が向上し、メンテナンスに必要なコストを低減することができる。捲り作業に起因して障害釘や演出役物を損傷したり位置ズレを発生させたりする虞が殆どなく、装飾薄体を損傷する虞も殆どない。
【００３２】
釘用貫通孔や役物用貫通孔は、装飾用積層体を構成するすべての装飾薄体に形成されることが望ましいが、もちろん捲られる装飾薄体のみに形成されていてもよく、遊技盤面に直接貼付される最裏面の装飾薄体にはそれらが形成されていなくてもよい。
【００３３】
本発明の更に他の例示的側面としての遊技機は、上記の遊技盤ユニットと、遊技盤ユニットを視認可能に保持する枠体と、遊技盤に対して一定距離以上離間して配置された前面透明板とを有することを特徴とする。
【００３４】
この遊技機は上記の遊技盤ユニットを有しているので、表面側の装飾薄体を１枚捲るだけで遊技領域に下層側の模様を新たに露出させることができ、遊技盤を交換することなく遊技領域における模様を簡単な作業で変更することができる。したがって、模様変更によって遊技者の興趣を増大させることができる上に、その模様変更に必要なコストを低減することができる。しかも、表面側の装飾薄体を捲ることで、キズや汚れのない真新しい模様とすることができるので、遊技者に新鮮さや清潔感を与えることもできる。
【００３５】
装飾薄体には、障害釘に対応する位置や演出役物に対応する位置に各々貫通孔が形成されているので、障害釘や演出役物を遊技領域内に配置する際に、この装飾用積層体が邪魔になることなく配置することができる。また、配置済みの障害釘等をわざわざ遊技盤から外さなくても障害釘等を回避して引っかからないように装飾薄体を捲ることができる。したがって、模様変更に係る作業が簡単となってメンテナンス性が向上し、メンテナンスに必要なコストを低減することができる。捲り作業に起因して障害釘や演出役物を損傷したり位置ズレを発生させたりする虞が殆どなく、装飾薄体を損傷する虞も殆どない。
【００３６】
釘用貫通孔や役物用貫通孔は、装飾用積層体を構成するすべての装飾薄体に形成されることが望ましいが、もちろん捲られる装飾薄体のみに形成されていてもよく、遊技盤面に直接貼付される最裏面の装飾薄体にはそれらが形成されていなくてもよい。
【００３７】
本発明の更なる目的又はその他の特徴は、以下添付図面を参照して説明される好ましい実施の形態によって明らかにされるであろう。
【発明の効果】
【００３８】
本発明によれば、表面側の装飾薄体を１枚捲るという簡単な作業により、遊技領域内の模様を変更することができる。したがって、模様変更による遊技者の興趣増大を図ることができる。装飾薄体を捲ることにより、遊技領域内のキズや汚れを一掃することができるので、新鮮さや清潔感を遊技者に与えることもできる。その模様変更を、遊技盤を交換することなく行うことができるので、模様変更に係るコストや手間を削減することもできる。装飾薄体を捲る際、障害釘や演出役物を回避しつつ引っかからないように捲ることができるので、捲り作業を円滑かつ簡単に行うことができ、その作業に伴って障害釘、演出役物、装飾薄体を損傷等する虞が殆どない。
【発明を実施するための最良の形態】
【００３９】
［実施の形態］
以下、本発明の実施の形態について図面を用いて説明する。図１は、本発明の実施の形態に係る遊技機としてのパチンコ機２の外観斜視図である。このパチンコ機２は、枠体３、遊技盤ユニット５、前面ガラス（前面透明板）１０、発射ユニット（不図示）、貯留皿１４を有している。
【００４０】
なお、遊技機は、パチンコ機２の他にパロット機、アーケードマシン、各種ゲーム機を概念することができ、要するに、遊技媒体の流下による遊技を実現する遊技盤を有しており、その遊技盤面に装飾用の積層体が貼付されるあらゆる遊技機が含まれる。なお、パチンコ機においても、アレンジボール機、雀球機等の組合せ式パチンコ機、いわゆるセブン機等の景品球払出し式パチンコ機等のあらゆるパチンコ機が概念できるが、本実施の形態においては、景品球払出し式のいわゆるセブン機について例示説明する。
【００４１】
パチンコ機２の枠体３は、後述する遊技盤ユニット５を内部に視認可能に保持するためのもので、このパチンコ機２の周囲及び前方を囲むように構成される。枠体３の内部には、遊技盤ユニット５の他にも各種電子基板や遊技媒体用の経路等各種機構部品が配置され、枠体３によって周囲側面及び前面からのパチンコ機２内部への不正アクセスが防止されるようになっている。
【００４２】
例えば、最後方に配置されてパチンコ機２の周囲を囲む筐体枠４、その前方にヒンジ部（揺動支持部）２２によって前方開閉可能に揺動支持されて遊技盤ユニット５を保持する機枠９、機枠９の更に前方にヒンジ部２２によって前方開閉可能に揺動支持されて前面ガラス１０とその周囲を装飾する装飾部材３２とを保持する装飾枠１２とを有して枠体３が構成される。なお、前面ガラス１０は、枠体３内部に保持された遊技盤６を前方から遊技者が視認することができるようにするための透明部材であるが、詳細は後述する。
【００４３】
遊技盤ユニット５は、枠体３（本実施の形態においては、枠体３の一部としての機枠９。）に保持され、遊技盤６、ゲージ（障害釘）２７、図柄表示装置（演出役物）７、遊技盤６の盤面（遊技盤面）６ａに貼付された多層セル（装飾用積層体）１８を有している。
【００４４】
遊技盤６は、このパチンコ機２において、遊技媒体としての球（パチンコ球）２３の流下による遊技を実現するための盤状部材であり、その遊技盤面６ａには略円形状に周囲を囲むようにレール飾り２６が取り付けられている。このレール飾り２６の内周面（内側面）２６ａは遊技盤面６ａに対して立設するように配置されている。そして、その内側面２６ａによって画定され、内側面２６ａに面した略円形状の領域が球２３の流下領域としての遊技領域６ｂとなっている。
【００４５】
図柄表示装置７は、遊技領域６ｂの略中央部に配置されている。例えば、液晶表示装置・有機ＥＬディスプレイ・ＬＥＤ等により構成されて遊技盤面６ａ側から視認可能に設けられ、その表示画面（映像表示面）７ａ上に映像表示を行う。この表示画面７ａ上には、例えば、３桁の数字又は文字等により構成される表示図柄７ｂが回転又は停止するように映像として表示される。また、例えば、キャラクター等によるストーリー仕立ての映像としての演出映像７ｃも表示画面７ａ上に表示されるようになっている。
【００４６】
遊技領域６ｂには図柄表示装置７の他に、流下する球２３の流下方向を変更するための多数のゲージ２７、普通入賞口２８、特別入賞口２８ａ、始動入賞口２９、大入賞口２９ａ、アウト口３０、その他の各種役物（例えば、風車等。）が配置されている。そして、図示しない球発射装置により球２３が遊技領域６ｂ内の上部に向けて発射されると、球２３がゲージ２７に衝突してその流下方向を変えつつ遊技領域６ｂ内を下方に流下するようになっている。その流下の途中で、あるものは普通入賞口２８に入賞して一定数の景品球払出しの契機となり、あるものは特別入賞口２８ａに入賞して普通入賞口２８への入賞時よりも多数の景品球払出しの契機となり、あるものはいずれの入賞口にも入賞せずに遊技領域６ｂ内最下部に位置するアウト口３０からパチンコ機２の外部へと排出される。
【００４７】
球２３が始動入賞口２９に入賞すると、その入賞に起因して図柄表示装置７の表示図柄７ｂが回転表示を開始し、その表示図柄７ｂが所定の図柄（例えば、大当たりに対応する「７・７・７」。）で停止表示すれば、大入賞口２９ａが開放して多量の入賞球を受け入れ、多量の景品球が貯留皿１４へと払い出されるようになっている。
【００４８】
図２は、遊技盤ユニット５の分解斜視図である。図２においては、説明の簡単のため、遊技盤６、図柄表示装置７、一部のゲージ２７及び多層セル１８のみを図示しており、その他の構成については図示を省略している。以下、本発明において技術的重要度の高い多層セル１８について説明する。
【００４９】
多層セル１８は、遊技盤面６ａに貼付される積層体であって、遊技領域６ｂを装飾する機能を有する。多層セル１８は、複数の装飾フィルム（装飾薄体）１９が積層貼付されて構成されたもので、各装飾フィルム１９の表面１９ａには各々模様が付され、裏面１９ｂは各々粘着面とされている。なお、本実施の形態においては、装飾フィルム１９は樹脂で形成されたフィルムであるが、装飾フィルム１９は、例えば、紙や金属シート等の薄体であってもよい。また、各装飾フィルム１９の裏面１９ｂは、接着剤等の粘着性の液剤が塗布されて粘着面とされていてもよく、両面テープのように粘着面を有する他の粘着体が裏面１９ｂに貼付されて構成されてもよい。
【００５０】
なお、この多層セル１８は、レール飾り２６に対応する部分が、レール飾り２６の形状に対応して切り欠かれた形状とされている。したがって、多層セル１８を構成する装飾フィルム１９を捲る際に、レール飾り２６を回避しつつレール飾り２６に引っかかったりせずに円滑に捲ることができるようになっている。
【００５１】
図３は、遊技盤面６ａに貼付される多層セル１８の層構造を説明するための側断面図である。複数の装飾フィルム１９を積層貼付して多層セル１８を構成し、遊技盤面６ａにその多層セル１８を貼付した後に、遊技盤面６ａに図柄表示装置７やゲージ２７等を取り付けることにより、この遊技盤ユニット５が構成される。この図３においては、４枚の装飾フィルム１９が積層貼付されて多層セル１８が構成されている。
【００５２】
各装飾フィルム１９の裏面１９ｂの粘着力は、下層側の装飾フィルム１９から上層側の装飾フィルム１９を捲って剥がすことができる程度に設定されている。したがって、上層側の装飾フィルム１９を捲ることにより、その下層側の装飾フィルム１９の表面１９ａの模様が新たに露出されるようになっている。
【００５３】
その装飾フィルム１９の表面１９ａには、複数の装飾フィルム１９ごとにそれぞれ異なる模様が付されている。したがって、上層側の装飾フィルム１９を捲るたびに異なる模様が露出されるので、１枚捲るたびに多層セル１８表面の模様を変更することができるようになっている。もちろん、各装飾フィルム１９の表面１９ａにはすべて同じ模様が付されており、上層側の装飾フィルム１９を捲るたびに同じ模様の新鮮な（すなわちキズや汚れのない。）下層側の装飾フィルム１９の表面１９ａが露出されるようになっていてもよい。
【００５４】
多層セル１８においては、各装飾フィルム１９の裏面１９ｂにおける粘着力が、装飾フィルム１９ごとに異なるように設定されている。より具体的には、最上層側の装飾フィルム１９の粘着力が最も小さく、下層となるに従って徐々に装飾フィルム１９の粘着力が大きくなるように設定されている。したがって、最上層側の装飾フィルム１９を捲る際に、下層側の装飾フィルム１９が一緒に捲られてしまうことが殆どなく、確実に１枚のみを捲ることができるようになっている。
【００５５】
なお、各装飾フィルム１９の周縁近傍には、裏面１９ｂが部分的に非粘着とされた捲り開始部（非粘着部）１９ｃが配置されている。この捲り開始部１９ｃにおいては、上層側の装飾フィルム１９と下層側の装飾フィルム１９とが貼付されていない。したがって、上層側と下層側とを容易に分離することができるようになっており、この捲り開始部１９ｃを手で保持して上層側の装飾フィルム１９をその表面１９ａ側に向けて引っ張ると、簡単に上層側の装飾フィルム１９を捲って下層側の装飾フィルム１９から剥がすことができるようになっている。
【００５６】
各装飾フィルム１９における、ゲージ２７に対応する位置にはゲージ孔（釘用貫通孔）１９ｄが形成されている。また、図柄表示装置７に対応する位置にはセンター孔（役物用貫通孔）１９ｅが形成されている。図３には図示しないものの、遊技領域６ｂ内の他の演出役物（普通入賞口２８、特別入賞口２８ａ、始動入賞口２９、大入賞口２９ａ、アウト口３０等。）についても、各々に対応する位置に役物用貫通孔が形成されているが、本実施の形態においては、図柄表示装置７に対応するセンター孔１９ｅについて説明する。
【００５７】
図４は、多層セル１８における装飾フィルム１９のゲージ孔１９ｄ近傍を拡大して示す側方拡大断面図である。ゲージ２７は、円形断面を有する軸状部材であって、軸部２７ａと頭部２７ｂとを有しており、頭部２７ｂの径が軸部の径よりも大きく構成されている。例えば、本実施の形態においては、軸部２７ａの径はφ２ｍｍであり、頭部２７ｂの径（最大断面径）はφ４．３ｍｍである。
【００５８】
それに対し、装飾フィルム１９のゲージ孔１９ｄは円形孔であって、その孔径がφ５ｍｍとされている。装飾フィルム１９を捲る際には、そのゲージ孔１９ｄがゲージ２７全体をくぐらなければならないが、ゲージ孔１９ｄの孔径が頭部２７ｂの径よりも大きくされているので、頭部２７ｂを回避しつつ円滑に装飾フィルム１９を捲ることができる。ゲージ孔１９ｄが頭部２７ｂに引っかかることなく装飾フィルム１９を捲ることができるので、装飾フィルム１９の捲り作業によってゲージ２７を損傷してしまったり、位置ズレを生じてしまったりしない。ゲージ孔１９ｄが損傷することもない。
【００５９】
一方、遊技領域６ｂ、より具体的には多層セル１８の表面を流下する球２３の直径は、例えばφ１１ｍｍである。その球２３がゲージ２７の直上から流下してくると、ゲージ２７に衝突してその流下方向を変更することとなる。しかしながら、ゲージ孔１９ｄの孔径がφ５ｍｍであり、かつその孔中心とゲージ２７の断面中心とが略一致するように配置されているので、球２３がゲージ２７に衝突した時（再接近時）においても、ゲージ孔１９ｄと球２３とは相互に干渉しない。したがって、ゲージ孔１９ｄは球２３の流下に影響を与えないようになっている。
【００６０】
図５は、多層セル１８における装飾フィルム１９のセンター孔１９ｅ近傍を拡大して示す側方拡大断面図である。図柄表示装置７は、表示装置本体（役物本体部）７ｄの周縁に、遊技盤面６ａに取り付けるための取付け部（周縁部）７ｅを有している。そして、センター孔１９ｅは、その取付け部７ｅの周囲を覆うように開口形成されている。
【００６１】
多層セル１８の厚さ（すなわち、複数の装飾フィルム１９の積層厚さ）ｔ１は、取付け部７ｅの厚さｔ２と略一致する厚さとされているので、センター孔１９ｅから取付け部７ｅに架けて殆ど段差を生じない。したがって、遊技領域６ｂを流下してきた球２３がセンター孔１９ｅから図柄表示装置７の取付け部７ｅに差し掛かっても、センター孔１９ｅと取付け部７ｅとの近接部分においてそれらの影響を殆ど受けることなく、スムーズにその部分を流下していくこととなる。取付け部７ｅの厚さｔ２に起因する段差によって球２３が弾かれてしまい、不用意に（すなわち、遊技者にとって不当に。）その流下方向を変化させることが殆どないので、遊技者は不満を感じることなく安心して遊技を行うことができる。もちろん、多層セル１８の厚さｔ１の方が、図柄表示装置７の取付け部７ｅの厚さｔ２より厚くても構わない。
【００６２】
このセンター孔１９ｅは、遊技盤面６ａにおける、取付け部７ｅを含む図柄表示装置７全体の大きさよりも大きく開口形成されている。したがって、多層セル１８における最上層の装飾フィルム１９を捲る際に、センター孔１９ｅが図柄表示装置７に引っかかったりしない。したがって、装飾フィルム１９の捲り作業の際に、図柄表示装置７を損傷してしまったり、その位置ズレを生じてしまったりしない。センター孔１９ｅが損傷することもない。
【００６３】
なお、以下に、パチンコ機２における構成に関して上記に説明したもの以外のものについて説明する。前面ガラス１０は、遊技盤ユニット５に対して一定距離以上離間して配置された透明板である。前面ガラス１０は透明平板ガラスで形成されて装飾枠１２に保持され、遊技盤６との間に球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００６４】
発射ユニットは、球供給装置（不図示）によって貯留皿１４の一部としての上皿１４ａから発射位置に送り出された球２３を遊技領域６ｂの上部に向けて発射（弾球）するためのものである。発射ユニットは、例えば発射位置の球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００６５】
貯留皿１４は、遊技者の持ち球を貯留するためにパチンコ機２の前面に配置された皿部材であって、本実施の形態においては上皿１４ａと下皿１４ｂとを有している。上皿１４ａは、球排出ボタン１４ｃを有して遊技盤６の下方、すなわち装飾枠１２の下方部分に配置され、下皿１４ｂは、その上皿１４ａの更に下方に配置されている。
【００６６】
［変形例］
上記実施の形態においては、ゲージ孔１９ｄの孔径をφ５ｍｍとして、ゲージ２７の頭部２７ｂの径より大きい寸法としているが、図６に示すように、装飾フィルム１９上に、ゲージ孔１９ｄから下方に向けて切れ込み２０が形成され、ゲージ孔１９ｄの孔半径と切れ込み２０の長さＬとの合計が、頭部２７ｂの径よりも大きい寸法とされていてもよい。
【００６７】
上記実施の形態と同様に、この変形例におけるゲージ２７の軸部２７ａの径をφ２ｍｍ、頭部２７ｂの径をφ４．３ｍｍとすると、ゲージ孔１９ｄの孔半径と切れ込み２０の長さＬとの合計が、例えば５ｍｍである。更に具体例としては、ゲージ孔１９ｄの孔径が軸部２７ａの径（最小断面径）よりも大きい４ｍｍであって、切れ込み２０の長さＬが３ｍｍである。
【００６８】
このような寸法構成とすれば、多層セル１８を遊技盤面６ａに貼付した後にゲージ２７を配置する際に、ゲージ２７によりゲージ孔１９ｄを損傷しない。そして、その後に装飾フィルム１９を捲る際にも、ゲージ孔１９ｄ及び切れ込み２０によって構成されるゲージ通過部分が弾性変形してゲージ２７の頭部２７ｂを円滑に通過させる。したがって、捲り作業において、ゲージ２７にも装飾フィルム１９にも損傷が生じることがない。
【００６９】
一方、ゲージ孔１９ｄの孔半径と切れ込み２０の長さＬとの合計が５ｍｍとされていて５．５ｍｍ以下である。したがって、ゲージ孔１９ｄの孔中心とゲージ２７の断面中心とが略一致するように配置されている場合においては、ゲージ孔１９ｄや切れ込み２０が直径１１ｍｍの球２３の流下に影響を与えないようになっている。特に、切れ込み２０がゲージ孔１９ｄから下方に延びるように形成されているので、流下中の球２３が切れ込み２０と干渉を生じる虞は少ない。したがって、切れ込み２０が球２３の流下に影響を与える可能性や、球２３によって切れ込み２０から装飾フィルム１９が剥がれる可能性を低減することができる。
【００７０】
また、このような装飾フィルム１９において、切れ込み２０のない場合のゲージ孔の孔径（例えば、５ｍｍ。）よりも、切れ込み２０を形成した場合のゲージ孔１９ｄの孔径（例えば、４ｍｍ。）を小さくすることができる。したがって、ゲージ２７同士が近接して配置される場合であっても、それらに対応するゲージ孔１９ｄ同士の干渉を生じ難くすることができる。装飾フィルム１９に形成されるゲージ孔１９ｄが小さいので、装飾フィルム１９の表面１９ａの模様の欠損部分を小さくすることができゲージ孔１９ｄが遊技盤面６ａのデザイン性に与える影響を低減することができる。
【００７１】
なお、上記実施の形態においては、捲り開始部１９ｃを装飾フィルム１９の周縁近傍であって遊技盤６に貼付された場合の上側部分（図２参照）に形成しているが、この変形例においては、切れ込み２０がゲージ孔１９ｄから下方に向けて形成されているので、捲り開始部１９ｃを遊技盤６に貼付された場合の下側部分に形成するのが望ましい。それにより、捲り開始部１９ｃから装飾フィルム１９を捲ったときに、切れ込み２０とゲージ孔１９ｄとがゲージ２７全体を円滑にくぐるように装飾フィルム１９が捲られることとなる。
【００７２】
以上、本発明の好ましい実施の形態を説明したが、本発明はこれらに限定されるものではなく、その要旨の範囲内で様々な変形や変更が可能である。
【００７３】
例えば、上記実施の形態においては、多層セル１８を構成する複数の装飾フィルム１９のすべてにゲージ孔１９ｄ及びセンター孔１９ｅが形成されているが、もちろん捲り作業の対象となる装飾フィルム１９にのみゲージ孔１９ｄ及びセンター孔１９ｅが形成されていればよい。例えば、最下層の装飾フィルム１９が直接遊技盤面６ａに貼付され、それ自体を遊技盤面６ａから捲り剥がすことがない場合は、最下層の装飾フィルム１９にゲージ孔１９ｄやセンター孔１９ｅを形成する必要はなく、レール飾り２６に対応する切り欠きを形成する必要もない。もちろん、この多層セル１８とは別体とされた別セルを遊技盤面６ａに直接貼付し、その別セルの表面にこの多層セル１８を貼付する構成であってもよい。
【図面の簡単な説明】
【００７４】
【図１】本発明の実施の形態に係るパチンコ機の外観斜視図である。
【図２】図１に示すパチンコ機が有する遊技盤ユニットの分解斜視図である。
【図３】図２に示す遊技盤の遊技盤面に貼付される多層セルの層構造を説明するための側方断面図である。
【図４】図３に示す多層セルにおけるゲージ孔近傍を拡大して示す側方拡大断面図である。
【図５】図３に示す多層セルにおけるセンター孔近傍を拡大して示す側方拡大断面図である。
【図６】本発明の変形例に係る多層セルのゲージ孔近傍を示す部分拡大斜視図である。
【符号の説明】
【００７５】
Ｌ：切れ込みの長さ
ｔ１：多層セルの厚さ
ｔ２：取付け部の厚さ
２：パチンコ機（遊技機）
３：枠体
４：筐体枠（枠体の一部）
５：遊技盤ユニット
６：遊技盤
６ａ：遊技盤面（盤面）
６ｂ：遊技領域
７：図柄表示装置（演出役物）
７ａ：表示画面（映像表示面）
７ｂ：表示図柄
７ｃ：演出映像
７ｄ：表示装置本体（役物本体部）
７ｅ：取付け部（周縁部）
９：機枠（枠体の一部）
１０：前面ガラス（前面透明板）
１２：装飾枠（枠体の一部）
１４：貯留皿
１４ａ：上皿
１４ｂ：下皿
１４ｃ：球排出ボタン
１５：発射ハンドル
１８：多層セル（装飾用積層体）
１９：装飾フィルム（装飾薄体）
１９ａ：表面
１９ｂ：裏面
１９ｃ：捲り開始部（非粘着部）
１９ｄ：ゲージ孔（釘用貫通孔）
１９ｅ：センター孔（役物用貫通孔）
２０：切れ込み
２２：ヒンジ部（揺動支持部）
２３：球（パチンコ球）
２６：レール飾り
２６ａ：内側面（内周面）
２７：ゲージ（障害釘）
２７ａ：軸部
２７ｂ：頭部
２８：普通入賞口（演出役物）
２８ａ：特別入賞口（演出役物）
２９：始動入賞口（演出役物）
２９ａ：大入賞口（演出役物）
３０：アウト口（演出役物）
３２：装飾部材
【図１】
2009082282.tif 000003
【図２】
2009082282.tif 000004
【図３】
2009082282.tif 000005
【図４】
2009082282.tif 000006
【図５】
2009082282.tif 000007
【図６】
2009082282.tif 000008